Podtech/llm-jp-corpus-v4-ja_patent huggingface dataset:
(57)【要約】      （修正有）【課題】バックスイングと切り返しを改善して、ダウンスイング及びインパクトの向上を図るゴルフ練習具を提供する。【解決手段】シャフト１の一端に設けられた固定グリップ２と、固定グリップに隣接させて固定グリップに密着及び固定グリップと間隔を広げるスライドグリップ３と、からなり、好ましくは、スライドグリップの固定グリップ側の端部に鍔５を設けてなるゴルフ練習具。【選択図】図１
0003229606.tif 000002
【実用新案登録請求の範囲】
【請求項１】
シャフトの一端に設けられた固定グリップと、該固定グリップに隣接させて該固定グリップに密着及び固定グリップと間隔を広げるスライドグリップを設けたことを特徴とするゴルフ練習具
【請求項２】
スライドグリップの固定グリップ側の端部に鍔を設けたことを特徴とする請求項１に記載のゴルフ練習具。
【請求項３】
固定グリップとスライドクリップ間のスライド間隔が５〜１０ｃｍであることを特徴とする請求項１又は２に記載のゴルフ練習具。
【考案の詳細な説明】
【技術分野】
【０００１】
本考案は、バックスイングと切り返しを改善してダウンスイング及びインパクトの向上を図るゴルフ練習具に関する。
【背景技術】
【０００２】
従来、正しいボディーターンと正確なスイングプレーンの両方を習得できるゴルフ練習具が提案されている。（特許文献１）。
【０００３】
該提案は、スイング中にほとんど撓みを生じない硬質性のシャフトの外径を、該シャフトの長手方向に亘って一定に形成すると共に、該シャフトの一端部に、両手の間隔を開けて握る長尺グリップを備え、前記シャフトの中心よりも前記長尺グリップ側に重心を位置させつつ、前記シャフトの他端から長さ方向中心までの重量を増すウエイトを備え、前記シャフトの他端部に通常の長さの通常グリップを備えた構成である。
【０００４】
前記構成によれば、ゴルフ練習者は、長尺グリップを両手の間隔を開けて握ってスイングするために、スイングの際に手首の返しや手打ちになりにくい。このため、スイングの際に、身体全体と腕とを同調させてスイングをすることができることで、ボディーターンの練習ができるとしている。一方、通常グリップを握ってスイングをする際には、いわゆる先調子になる。つまり、スイング軌道を目視で確認するだけではなく、先端側に、長尺グリップによる、ある程度の重さが存在することでスイング軌道を身体で感じながら正しいスイング軌道の練習をすることができるとしている。
【先行技術文献】
【特許文献】
【０００５】
【特許文献１】特許第５３８５６２６号公報
【考案の概要】
【考案が解決しようとする課題】
【０００６】
本考案は、バックスイングと切り返しを改善して、ダウンスイング及びインパクトの向上を図ったゴルフ用練習具を提供することを目的とする。
【課題を解決するための手段】
【０００７】
前記課題を解決するため、本考案のゴルフ練習具は、シャフトの一端に設けられた固定グリップと、該固定グリップに隣接させて該固定グリップに密着及び該固定グリップとの間隔を広げるスライドグリップと、からなることを特徴とする（請求項１）。
【０００８】
前記本考案の練習具は、練習者が右利きの場合は、固定グリップを左手で握り、スライドグリップを右手で握ってバックスイング及びダウンスイングを行う。その一例を以下に述べる。
【０００９】
バックスイング時は固定グリップからスライドグリップを離した状態、すなわち、両手の間隔を広げた状態で行う。
【００１０】
続いて、ダウンスイング時は固定グリップにスライドグリップを密着した状態、すなわち、両手の間隔を狭めた状態で開始する。ここで、スライドグリップを固定グリップに密着させるとシャフト（クラブ）が後ろに倒された状態になりそのままダウンスイングを行う。
【００１１】
本考案では、バックスイング時及びダウンスイング時の両手の間隔を異にした練習を行うことにより、切り返し及びインパクトの向上を図ることができる。
【００１２】
本考案の一実施例は、スライドグリップの固定グリップ側の端部に鍔を設けたことを特徴とする（請求項２）。この実施の一形態によれば、固定グリップとスライドグリップとの間隔が広げられた後にその間隔を狭めた際に、固定グリップとスライドグリップとの間に練習者の手あるいは指の一部を挟み込み怪我をすることが防止される。
【００１３】
本考案の他の一実施例は、固定グリップとスライドグリップとのスライド間隔を５〜１０ｃｍとしたことを特徴とする（請求項３）。この実施の一形態によれば、スライドグリップによるスライド間隔を無限にすると必要以上に練習者の両手の間隔が広げられて練習効果を得られない場合があるためである。
【考案の効果】
【００１４】
本考案によれば、バックスイングと切り返しを改善して、ダウンスイング及びインパクトの向上を図ることができる。
【図面の簡単な説明】
【００１５】
【図１】本考案の一実施例のゴルフ練習具の側面図である。
【考案を実施するための形態】
【００１６】
以下に、図面を参考に本考案の一実施例を説明する。
【００１７】
図中、１はシャフトであり、本考案ではシャフト１の長さは問わない。例えば、クラブドライバーとほぼ同じく長尺に形成してもよく、適宜短尺に形成してもよい。シャフトを長尺に形成した場合には室内でのスイング練習に限界が生じる。そこで室内練習用とする場合には短尺シャフトに形成される。さらにシャフトはスチール、カーボン、その他、素材を問わない。また、シャフトは円形断面のほか角形断面でもよい。
【００１８】
本考案では、前記シャフト１の一端に固定クリップ２が設けられる。該固定グリップ２の長さは手で把持し易い長さにされる。さらに、該固定グリップ２に隣接させて該固定グリップ２に密着及び該固定グリップ２との間隔を開けてスライドするスライドグリップ３が設けられる。該スライドグリップ３の長さも手で把持し易い長さにされる。
【００１９】
図面実施例では、シャフト１の芯材４の一部を露出して該芯材４の露出部分に前記スライドグリップ３をスライド自在に設けて構成している。なお、前記固定グリップと２スライドグリップ３間のスライド間隔Sは５〜１０ｃｍが好ましい。スライドグリップ３のスライド間隔を無限にすると必要以上に練習者の両手の間
隔が広げられて練習効果を得られないためである。
【００２０】
図中、５はスライドグリップ３の固定グリップ側端部に設けた鍔である。該鍔５を設けることにより、固定グリップ２とスライドグリップ３との間隔を狭めた際に、その間に練習者の手あるいは指を挟み込むことが防止される。
【００２１】
前記本考案のゴルフ練習具によれば、バックスイング時とダウンスイング時の両手の間隔を異にした練習を行うことによりダウンスイング及びインパクトを向上させることができる。
【符号の説明】
【００２２】
１    シャフト
２    固定グリップ
３    スライドグリップ
５    鍔
【図１】
0003229606.tif 000003
【手続補正書】
【提出日】令和2年9月17日(2020.9.17)
【手続補正１】
【補正対象書類名】図面
【補正対象項目名】図１
【補正方法】変更
【補正の内容】
【図１】
0003229606.tif 000004
(57)【要約】      （修正有）【課題】頻繁におきる老眼鏡の着脱を簡便にし、保管時の眼鏡の安全を確保することができるエプロンを提供する。【解決手段】エプロンは、胸当て部分上部内側（或いは外側）に１−４を開口部として貼り付けたポケット１−２−３−４を有する。ポケットの開口部内側５、エプロン側の開口部にポケット口を止める為の留め具（面ファスナー、マグネットホック、ファスナー等）を付け、眼鏡の落下を防ぐ。【選択図】図１
0003229260.tif 000002
【実用新案登録請求の範囲】
【請求項１】
胸当て上部内側（或いは外側）に眼鏡専用のポケットを付けたエプロン
【請求項２】
ポケット開口部に、眼鏡の落下を防止する為にマジックテープ、マグネットホック、チャック等を付けた上記請求項１のエプロンである。
【考案の詳細な説明】
【技術分野】
【０００１】    本考案は胸当て上部内側（或いは外側）に眼鏡専用のポケットを有するエプロンに関する物である。
【背景技術】
【０００２】    昨今の高齢化により、老眼鏡を使用する人が増加している。
老眼鏡は着脱の頻度が高く、外した後行方不明になることが多い。中高齢者にとって老眼鏡の着脱、携帯、保管は煩わしく、使用後の簡便な保管手段が望まれる。現在は、眼鏡の蔓にストラップを付けて、外した後首から吊り下げて携帯する方法が広く行われている。
【考案の概要】
【考案が解決しようとする課題】
【０００３】    上記  眼鏡の蔓をストラップで吊り、取り外した後  首から吊り下げて携帯する方法は、活動中に眼鏡がブラブラと動いて作業の邪魔になるだけで無く、眼鏡がダメージを受けたり、口からの飛沫や飲食等によりレンズが汚れてしまうという難点がある。本考案は、エプロンの胸当て上部内側（エプロンの生地の材質、デザイン等の状況が許す場合は外側でも可）に、眼鏡専用のポケットを付けることにより眼鏡を外した後、簡単に安全に眼鏡を保管することが出来、使用する際
0003229260.tif 000003
【課題を解決するための手段】
【０００４】
0003229260.tif 000004
る。
ポケットの開口部にはマジックテープ、マグネットホック、ファスナー等を適宜取り付け、下向きに体を折り曲げた際の眼鏡の落下を防ぐ。（眼鏡保護の観点や
0003229260.tif 000005
が望ましい。）
【考案の効果】
【０００５】  眼鏡の着脱、保管が簡便になり、保管中の眼鏡のダメージを防ぐことができる。
0003229260.tif 000006
ダメージを受ける可能性が低く、かつ内ポケットにすることで更に安全性が増す。
【図面の簡単な説明】
【０００６】
【図１】本考案の眼鏡専用の内ポケットの位置の例を示す為のエプロンの図である。横長タイプポケット、縦長タイプポケット
【図２】本考案の内ポケットの実施例である
【考案を実施する形態】
【０００７】
0003229260.tif 000007
開口部にマジックテープ、マグネット留め具、ファスナー等を適宜取り付けることにより体を前に折り曲げた際の、眼鏡の落下を防ぐ。
0003229260.tif 000008
ンのデザインにより、適宜決定するものとする。
以下添付図面に従って実施例を説明する。
【符号の説明】
【０００８】１  ポケット左上角
２  ポケット左下角
３  ポケット右下角
４  ポケット右上角
５  ポケット口留め具取り付け位置
６  本考案のポケットを取り付けたエプロン
【図１】
0003229260.tif 000009
【図２】
0003229260.tif 000010
【手続補正書】
【提出日】令和2年8月6日(2020.8.6)
【手続補正１】
【補正対象書類名】実用新案登録請求の範囲
【補正対象項目名】全文
【補正方法】変更
【補正の内容】
【実用新案登録請求の範囲】
【請求項１】
胸当て上部内側（或いは外側）に眼鏡専用のポケットを付けたエプロン
【請求項２】
ポケット開口部に、眼鏡の落下を防止する為に面ファスナー、マグネットホック、チャックを付けた上記請求項１のエプロンである。
(57)【要約】      （修正有）【課題】口に残る種皮や雑味・酸味のある焙煎カカオ豆を、そのまま手軽に食べられる豆菓子を提供する。【解決手段】焙煎カカオ豆に塩、砂糖、コショウなどで加味・コーティングし豆菓子とする。【選択図】図１
0003229256.tif 000002
【実用新案登録請求の範囲】
【請求項１】
焙煎カカオ豆に味を絡ませることを特徴とする豆菓子
【考案の詳細な説明】
【技術分野】
【０００１】  本考案は、焙煎カカオ豆に味を絡ませることを特徴とするカカオ豆豆菓子に関するものである。
【背景技術】
【０００２】  カカオ豆は、チョコレートやココアとして加工後、形状を変えて食品利用されていた。
【先行技術文献】
【特許文献】
【０００３】
【特許文献１】特開２００１−３３３６９４  公報
【特許文献２】特開平４−９４６４７  公報
【特許文献３】特開平７−２１３２５１  公報
【非特許文献】
【０００４】
【非特許文献１】日本食品化学工学会誌  第４６巻  第１２号１９９９年１２月  （カカオ豆外皮エキスおよび外皮ファイバーの人の腸内菌叢に及ぼす影響）株式会社ロッテ中央研究所および理化学研究所
【非特許文献２】みんなの健康チョコライフ専用ホームページ掲載各研究結果報告  株式会社  明治
【考案の概要】
【考案が解決しようとする課題】
【０００５】  焙煎カカオ豆をそのまま食すことは、発酵・乾燥・焙煎の段階で加味された雑味・酸味を伴う。また乾燥した種皮も、口に残る雑味となる。従って、種皮の風味や口当たりの改善をしようとするものである。
【課題を解決するための手段】
【０００６】  本考案は、焙煎されたカカオ豆そのものに、日本古来の豆菓子の加工法等を用いて加味・コーティングすることで、問題点を解決している。
【考案の効果】
【０００７】  上述の様に、食感はそのままに種皮を違和感なく食べられる加工をすることで、焙煎カカオ豆が丸ごと食べやすくなる。その結果として、種皮を廃棄せずごみを出さない、太古より「神様の食べ物」として扱われたカカオ豆本来の各効能活用の最大化が可能、チョコレートやココアなど限定されていた加工食品に加え、選択肢を増やし焙煎カカオ豆の一般大衆化が見込まれる。
【図面の簡単な説明】
【０００８】
【図１】本考案の実施例を示す正面図である。
【考案を実施するための形態】
【０００９】  焙煎カカオ豆形状のまま、種皮が加味・コーティングされている。
【実施例】
【００１０】  焙煎カカオ豆塩味（▲１▼乾煎りで塩を塗す▲２▼塩水に浸し乾燥▲３▼油で空揚げし塩を塗す。など）【００１１】  黒糖焙煎カカオ豆（豆菓子糖衣処理を行う。黒糖の代わりにパームシュガーなど様々な糖が可能）【００１２】  味付焙煎カカオ豆（コショウ味・カレー味など様々な豆菓子が可能）
【産業上の利用可能性】
【００１３】  塩味を加味することで、カカオ効能である二日酔い軽減に寄与しつつ酒のつまみとなる、または肥満や糖尿病等の疾患を懸念し一般的なチョコレートを避けてきた場合、チョコレートの風味や食感を残したまま、カカオポリフェノール・食物繊維・カカオプロテインを手軽に接収することができるため、焙煎カカオ豆を大衆食品化することで、スーパーフード市場拡大となる。
【符号の説明】
【００１４】１  種皮
２  胚乳
【図１】
0003229256.tif 000003
【手続補正書】
【提出日】令和2年8月13日(2020.8.13)
【手続補正１】
【補正対象書類名】実用新案登録請求の範囲
【補正対象項目名】全文
【補正方法】変更
【補正の内容】
【実用新案登録請求の範囲】
【請求項１】
カカオ豆の外周部を様々な食品でコーティングした豆菓子
(57)【要約】      （修正有）【課題】面で耳を挟み、デザイン性・快適性・着脱容易性を兼ね備えた耳飾りを提供する。【解決手段】２枚の板の下部が板と同一の素材でつながっていて、その板と板の間に耳たぶの厚みよりも少しだけ薄い隙間が空いており、上部の開口部から前述の隙間に耳たぶを挟むことによって、ネジやバネなどの金具を使うことなく耳に固定できる耳飾りであって、面１ａ、１ｂの間に耳たぶを入れ込むことにより、耳飾りと耳の摩擦で固定するものである。面１ａ、１ｂは装飾部の一部分として構成されているため、金具がなくデザイン性に優れている。さらに耳との設置面が広い面であるため、挟む力が分散され耳が痛くなりにくい。装着する際は面１ａ、１ｂの間の隙間に耳たぶを入れ込むだけで固定され、下から引っ張るだけで簡単に外すことができる。【選択図】図３
0003229251.tif 000002
【実用新案登録請求の範囲】
【請求項１】
飾り部分本体の広い面で耳を挟むことにより、耳を挟むためのバネや金具をなくし、飾り部分本体と耳に挟む部分が一体化しているのを特徴とする耳飾り。
【考案の詳細な説明】
【技術分野】
【０００１】      本考案は広い面で耳を挟む耳飾りに関するものである。
【背景技術】
【０００２】      従来からピアスホールがなくても装着できるイヤリングは広く流通している。しかし、耳に挟むという構造上、金具を使用しているものが多く、構造が単純なピアスよりもデザイン性が限られてしまっている。もちろん金具がないものも多数あるが、耳に当たる部分が点であることが多く、長時間つけていると耳が痛くなってくるという問題があった。
【考案の概要】
【考案が解決しようとする課題】
【０００３】      本考案によれば、前述のような従来のイヤリングではなかなか実現困難であった、デザイン性・快適性・脱着容易性の３つの課題を同時に解決することができる。
【課題を解決するための手段】
【０００４】      まずデザイン性について。本考案は耳に挟む部分も装飾の一部として成り立っているため、どこの角度からも装飾部分が見えているということになる。さらには金具がないことによりどちらの面を前にしても楽しめるというデザインで、素材も金属、アクリル、木、などあらゆるバリエーションでの提案が可能となり、多様性にも優れている。【０００５】      次に快適性について。広い面で耳を挟み込み、耳飾りと耳との摩擦で固定する。広い面により耳を挟む力が分散し、長時間着用していても痛くなりにくい。上記で述べたように、金属だけではなくあらゆる素材での提案が可能なため、金属アレルギーでも耳飾りとして楽しむことができる。【０００６】      最後に脱着容易性について。本考案の耳飾りは耳たぶを差し込むだけで固定できるため、鏡を見なくても装着することが可能となる。さらには、下から本体を引っ張るだけで簡単に耳から外すことができるため、手間がかからない。
【図面の簡単な説明】
【０００７】
【図１】実施の形態１に係る耳飾りを示す斜視図。
【図２】実施の形態１に係る耳飾りの耳への装着状態を示す側面図。
【図３】実施の形態１に係る耳飾りの母体をアクリルとした場合の、金属製の装飾や鉱石をはめ込んだ斜視図。
【図４】実施の形態２に係る耳飾りを示す斜視図。
【図５】実施の形態２に係る耳飾りの耳への装着状態を示す側面図。
【図６】実施の形態２に係る耳飾りの母体をアクリルとした場合の、金属製の装飾を施した斜視図
【図７】実施の形態３に係る耳飾りを示す斜視図。
【図８】実施の形態３に係る耳飾りの耳への装着状態を示す側面図。
【図９】実施の形態３に係る耳飾りの母体をアクリルとした場合の、金属製の装飾を施した斜視図
【考案を実施するための形態】
【０００８】（実施の形態１）
図１・２・３は本考案の実施の形態１に係るものである。図１は斜視図、図２は耳への装着状況を示す側面図、そして図３は母体の素材をアクリルとした場合の、金属製の装飾・鉱石をはめ込み、ファッション性を高めた使用例を示したものである。１ａ、１ｂは耳を挟み面である。形態１については、挟む面の下が円形状になっており、できた空間に４のような鉱石などをはめ込むことで高級感のある耳飾りにすることができるものである。
【０００９】（実施の形態２）
図４・５・６は本考案の実施の形態２に係るものである。図４は斜視図、図５は耳への装着状況を示す側面図、図６は母体の素材をアクリルとした場合の、金属製の装飾を施した使用例を示したものである。形態２については、面１ｃ、１ｄを繋げただけの形状で、面１ｃ、１ｄの間に５の金属パーツを通してから耳にはめると違ったデザインで楽しむことができる。５のパーツについては１ｃ、１ｄの間に通せれば形状や素材は問わない。
【００１０】（実施の形態３）
図７・８・９は本考案の実施の形態３に係るものである。図７は斜視図、図８は耳への装着状況を示す側面図、図９は母体の素材をアクリルとした場合の、金属製の装飾を施した使用例を示したものである。形態３については、形態２と同様に面１ｅ、１ｆのみで構成されているが、面が細長く形成されているため、存在感のある耳飾りとして使用することができる。
【００１１】（その他の実施の形態）
上記で実施の形態例を３つ説明したが、本考案はこの３つに限定させるものではない。耳に挟む面が構成されていれば全体の形状はどのようなものでもよい。またそれぞれの素材も問わない。
【符号の説明】
【００１２】  １  耳を挟む面
２  金属パーツ（プレート形状）
３  金属パーツ（ピン形状）
４  鉱石
５  金属パーツ（リング形状）
６  耳
【図１】
0003229251.tif 000003
【図２】
0003229251.tif 000004
【図３】
0003229251.tif 000005
【図４】
0003229251.tif 000006
【図５】
0003229251.tif 000007
【図６】
0003229251.tif 000008
【図７】
0003229251.tif 000009
【図８】
0003229251.tif 000010
【図９】
0003229251.tif 000011
【手続補正書】
【提出日】令和2年6月16日(2020.6.16)
【手続補正１】
【補正対象書類名】実用新案登録請求の範囲
【補正対象項目名】全文
【補正方法】変更
【補正の内容】
【実用新案登録請求の範囲】
【請求項１】
図２の１ａ・１ｂ、図５の１ｃ・１ｄ、図８の１ｅ・１ｆのように２枚の板の間に耳たぶの厚みよりも薄い隙間が空いており、その２枚の板がネジやバネなどの部品による接続なく一体化し、繋がっているのを特徴とする耳飾り。
【手続補正書】
【提出日】令和2年9月6日(2020.9.6)
【手続補正１】
【補正対象書類名】実用新案登録請求の範囲
【補正対象項目名】全文
【補正方法】変更
【補正の内容】
【実用新案登録請求の範囲】
【請求項１】
2枚の板の下部が板と同一の素材でつながっていて、その板と板の間に耳たぶの厚みよりも少しだけ薄い隙間が空いており、上部の開口部から前述の隙間に耳たぶを挟むことによって、ネジやバネなどの金具を使うことなく耳に固定できるのを特徴とする耳飾り。
(57)【要約】      （修正有）【課題】ウィルス感染を防ぐとともに、正面、左右隣席の相手の顔を見ながら食事が出来るウィルス対策ボードを提供する。【解決手段】ウィルス対策ボードは、湯気でも曇らない無色透明のボードと土台とから構成される。【選択図】図２
0003229252.tif 000002
【実用新案登録請求の範囲】
【請求項１】
食事中、感染者のウィルスが正面、左右隣席の人に対し移らない様、いわゆる飛沫感染を防ぐ目的と、真正面、左右隣席の相手と食事中に顔を見ながら話が出来る様、湯気でも曇らない無色透明の板を施したウィルス対策ボードに関するものである。
【考案の詳細な説明】
【技術分野】
【０００１】  本考案は、食事中、感染者のウィルスが正面、左右隣席の人に対し、口から口へと移らない様いわゆる飛沫感染を防ぐ目的と、正面、左右隣席の相手と顔を見ながら話と食事が出来る様、湯気でも曇らない無色透明のウィルス対策ボードに関するものである。
【背景技術】
【０００２】現在、新型コロナウィルスにより、世界中に感染者が拡大、結果、社会・経済に多大な影響を及ぼし、特にレストラン、居酒屋等では、とりわけ緊急発動が出された７都道府県を中心に店舗閉鎖を余儀なくされ、店舗の経営継続が難しい状況にある。
マスクを使用すればよいのだが、マスクをしては食事ができない。だがら、店舗は店を閉じるしかない。飛沫感染を防ぐボードがあれば、ウィルス感染を防ぎながら食事が出来るので、店内の換気さえ通常通り行えば、安心して店が開けられる。また、感染拡大中に友達、家族でできなかった外食が可能となる。そして、本来無くなってしまうかもしれない全国の数えきれない程の食店舗の運営を可能とし助けられる。
【考案の概要】
【考案が解決しようとする課題】
【０００３】上記問題を解決するウィルス対策ボードを提供する事である。
【課題を解決するための手段】
【０００４】食事中、感染者のウィルスが隣席の人に口から口へと移らない様、いわゆる飛沫感染を防ぐ目的と正面、左右隣席の相手と顔をみながら話が出来る様湯気でも曇らない無色透明のウィルス対策ボードを製作することである。
【考案の効果】
【０００５】本考案によって課題を十分に解決している。
【図面の簡単な説明】
【０００６】
【図１】飛沫感染が起こらない様、十分な大きさで、且つ無色透明のボードを使用した立体図。
【図２】ウィルス対策ボードを設置した実施例
【考案を実施するための形態】
【０００７】飛沫感染を防止し、顔をみながら食事ができることを目的に正面と左右両方に置く事が出来る無色透明のボードを施した形態
【実施例】
【０００８】図２は、ウィルス対策ボードを設置した実施例。食事中、感染者のウィルスが正面、左右隣席の人へ、口から口へと移らない様いわゆる飛沫感染を防げるのと湯気でも曇らない無色透明のボードのため真正面、左右隣席の相手と顔をみながら食事が出来る。
【産業上の利用可能性】
【０００９】現在、新型コロナウィルスにより、世界中に感染者が拡大、結果、経済が多大な影響を受け、特にレストラン、居酒屋等では、とりわけ緊急発動がされた７都道府県を中心に店舗閉鎖が余儀なくされ、店舗の経営継続が難しい状況にある。
マスクを使用すればよいのだが、マスクをしては食事ができない。だがら、店舗は店を閉じるしかない。飛沫感染を防ぐボードがあれば、ウィルス感染を防ぎながら食事が出来るので、店内の換気さえ通常通り行えば、安心して店が開けられる。本来、無くなってしまうかもしれない全国の数えきれない程の食店舗の運営を支え、助けることが出来る。
【符号の説明】
【００１０】１無色透明で曇らないボード
２ボードを支える土台
【図１】
0003229252.tif 000003
【図２】
0003229252.tif 000004
【手続補正書】
【提出日】令和2年8月17日(2020.8.17)
【手続補正１】
【補正対象書類名】実用新案登録請求の範囲
【補正対象項目名】全文
【補正方法】変更
【補正の内容】
【実用新案登録請求の範囲】
【請求項１】
無色透明なボードと土台から構成されるウィルス対策ボード。
(57)【要約】      （修正有）【課題】ロール紙の切はしを摘まみやすくしたトイレットペーパーホルダーを提供する。【解決手段】ロールカバー２、３の先端部を２５ｍｍスライドするようにし、手を離すとバネ４の作用で元に戻りロール紙の先端が押え板よりのぞき摘まみやすくしたトイレットペーパーホルダーであって、先端の紙切り歯の手前に５ｍｍの枕５をとりつけ歯が数ミリ浮き切端がロール紙より立ち上がりつかみやすくした。また、ロール紙の逆転を止める為にロールカバー２の先に逆転止めの歯６を付けた。【選択図】図２
0003229253.tif 000002
【実用新案登録請求の範囲】
【請求項１】
ロールカバーの先端部を２５ｍｍスライドさせて紙を切り手を離すとバネの作用で元に戻り紙の先端が押え板よりのぞき摘まみやすくしたものです。
【請求項２】
先端の紙切り歯の手前に５ｍｍの枕を取り付け歯が数ミリ浮き切りはしがロール紙より立ち上がり摘まみやすくなるようにしたものです。
【請求項３】
ロールカバー２の先に逆転止めの歯を取り付けたものです。
【考案の詳細な説明】
【技術分野】
【０００１】ペーパーホルダーのロールカバー
【背景技術】
【０００２】切り離し後のロール紙のはしが見つけづらく摘まみにくかった。
【考案の概要】
【考案が解決しようとする課題】
【０００１】ロール紙のはしをのぞかす。【０００２】切端がロール紙より立ち上がる。【０００３】ロール紙が逆転しないようにする
【課題を解決するための手段】
【０００１】ロールカバースライド式にする。【０００２】ロールカバーの歯先の手前に枕を付ける【０００３】ロールカバー２の先に逆転止めの歯を付ける。
【図面の簡単な説明】
【０００１】ロールカバー２にガイドレール２Ａとバネ４付けてロールカバー３をスライドするようにします。【０００２】ロールカバー３の歯先手前に５ｍｍの枕５を取り付けることで刃先を浮かして紙を切る。【０００３】バネ４は＃２２番線の中央部１０ｍｍ径の２重巻きで全長１２ｃｍ。【０００４】ロールカバー２の先に逆転止めの歯を付ける。
【図１】
0003229253.tif 000003
【図２】
0003229253.tif 000004
【手続補正書】
【提出日】令和2年8月17日(2020.8.17)
【手続補正１】
【補正対象書類名】実用新案登録請求の範囲
【補正対象項目名】全文
【補正方法】変更
【補正の内容】
【実用新案登録請求の範囲】
【請求項１】
ロールカバーの先端部を２５ｍｍスライドするようにし手を離すとバネの作用で元に戻りロール紙の先端が押え板よりのぞき摘まみやすくしたトイレットペーパーホルダー。
【請求項２】
先端の紙切り歯の手前に５ｍｍの枕をとりつけ歯が数ミリ浮き切端がロール紙より立ち上がりつかみやすくしたトイレットペーパーホルダー。
【請求項３】
ロール紙の逆転を止める為にロールカバー（２）の先に逆転止めの歯を付けたトイレットペーパーホルダー。
【手続補正３】
【補正対象書類名】明細書
【補正対象項目名】全文
【補正方法】変更
【補正の内容】
【考案の詳細な説明】
【技術分野】
【０００１】ペーパーホルダーのロールカバー
【背景技術】
【０００２】切り離し後のロール紙のはしが見つけづらく摘まみにくかった。
【考案の概要】
【考案が解決しようとする課題】
【０００３】ロール紙のはしをのぞかす。【０００４】切端がロール紙より立ち上がる。【０００５】ロール紙が逆転しないようにする
【課題を解決するための手段】
【０００６】ロールカバースライド式にする。【０００７】ロールカバーの歯先の手前に枕を付ける【０００８】ロールカバー２の先に逆転止めの歯を付ける。
【図面の簡単な説明】
【０００９】
【図１】図１は、トイレットペーパーホルダーの全体を表す図である。
【図２】図２は、トイレットペーパーホルダーのロールカバーのスライド部分の図である。
【符号の説明】
【００１０】１    トイレットペーパーホルダー本体２    ロールカバー２ａ  スライド板の案内用レール３    スライド板４    スライド板の戻しバネ５    スライド板の歯先を浮かす枕６    ロール紙の逆転を止める逆転止めの歯
(57)【要約】      （修正有）【課題】手に付着した新型コロナウイルス菌が、ペットボトルの飲み口に付着するのを防止することができるペットボトルキャップオープナーを提供する。【解決手段】ペットボトルキャップオープナー１は、樹脂製の円筒状本体２と、円筒状本体２下部周囲に配した、樹脂製の鍔部材３と、からなるものである。または、円筒状本体２と鍔部材３とが一体成形されている。【選択図】図５
0003229276.tif 000002
【実用新案登録請求の範囲】
【請求項１】
樹脂製の円筒状本体と、
円筒状本体下部周囲に配した、樹脂製の鍔部材と、
からなるペットボトルキャップオープナー。
【請求項２】
円筒状本体と鍔部材とが一体成形されていることを特徴とする請求項１記載のペットボトルキャップオープナー。
【考案の詳細な説明】
【技術分野】
【０００１】  本考案は、手に付着した新型コロナウイルス菌が、ペットボトルの飲み口に付着するのを防止することができるペットボトルキャップオープナーに関するものである。
【背景技術】
【０００２】  従来のペットボトルキャップは飲む度に手が触れ、衛生面で問題となっていた。
このため、ペットボトルキャップに被せて使用するオープナーとして、本体部外周に指かけ部を複数配したものであった（特許文献１参照）。
【先行技術文献】
【特許文献】
【０００３】
【特許文献１】実用新案登録第３１１９８３２号公報
【考案の概要】
【考案が解決しようとする課題】
【０００４】  従来のペットボトルキャップオープナーは、本体部外周に指かけ部を複数配しただけであり、下部周囲に鍔部がなく、握った手、指がペットボトルに触れ、付着した新型コロナウイルス菌がペットボトルに付着する危険性があり、衛生的でなく、新型コロナウイルス等が感染する恐れがあった。
【課題を解決するための手段】
【０００５】本考案は、新型コロナウイルス等が感染する恐れを防止するため、樹脂製の円筒状本体と、円筒状本体下部周囲に配した、樹脂製の鍔部材と、から構成したものであり、
また、円筒状本体と鍔部材とが一体成形されていることを特徴とするものである。
【考案の効果】
【０００６】    本考案のペットボトルキャップオープナーは、樹脂製の円筒状本体下部周囲に、樹脂製の鍔部材を配したことにより、オープナーを握った手、指がペットボトルの飲み口に触れることがなく、手、指に付着した新型コロナウイルス菌がペットボトルに付着する危険性がなく、衛生的であり、新型コロナウイルス等が感染することを防止する。
【図面の簡単な説明】
【０００７】
【図１】本考案に係るペットボトルキャップオープナーの側面図である。
【図２】同、断面図である。
【図３】同、平面図である。
【図４】同、底面図である。
【図５】同、斜視図である。
【考案を実施するための形態】
【０００８】  本考案に係るペットボトルキャップオープナー１の形態を、図１−図４に基づいて説明する
【実施例】
【０００９】  樹脂製の円筒状本体２と、円筒状本体２下部周囲に配した、樹脂製の鍔部材３と、から構成されている。【００１０】  本例において、円筒状本体２の外径は２０−４０φであり、その高さは１０−２０ｍｍである。【００１１】  また、鍔部材３の高さは１５−３０ｍｍであり、円筒状本体２鍔部材３との挟角Θは９０−１４０度である。【００１２】  また、円筒状本体２鍔部材３と素材は、塩化ビニールであり、軟性で透明素材とすることが望ましい。【００１３】  また、ペットボトルＰの外径は５０−８０φである。【００１４】  なお、図中Ｋはキャップを示す。
【産業上の利用可能性】
【００１５】  本考案に係るペットボトルキャップオープナーはペットボトル以外にガラス瓶当のボトル容器のキャップオープナーにも利用できる。
【符号の説明】
【００１６】１  ペットボトルキャップオープナー
２  円筒状本体
３  鍔部材
Ｐ  ペットボトル
Ｋ  キャップ
【図１】
0003229276.tif 000003
【図２】
0003229276.tif 000004
【図３】
0003229276.tif 000005
【図４】
0003229276.tif 000006
【図５】
0003229276.tif 000007
(57)【要約】      （修正有）【課題】ルアー釣りで、複数本の竿を使う際の持ち替えを、スムーズに行い手返し良く、さらに糸が引っ掛かるトラブルを、解消できるルアー＆フックキーパーを提供する。【解決手段】釣りを行う際、釣り糸が通過する部分には干渉しにくい場所、スピニングリールの足の部分にルアー＆フックキーパーを装着することで、糸が絡む、引っ掛かるなどのトラブルの解消、手返しの向上利便性を向上する。さらに糸の巻き取り時にロータ−が回転しても釣り糸が干渉せず、ルアー＆フックキーパーに糸を掛けたままでも釣り糸を巻き取ることができる。【選択図】図１
0003229277.tif 000002
【実用新案登録請求の範囲】
【請求項１】
釣り具のスピニングリール（釣り糸が巻きついているスプール部分自体が回転するのではなく、スプール部分は固定で、スプールの周りのベールが回転して糸を巻き取る方式のリール。）の足の部分に装着するルアー＆フックキーパー
【考案の詳細な説明】
【技術分野】
【０００１】
本発明は魚釣道具に関する。
【背景技術】
【０００２】
特にありません。
【考案の概要】
【考案が解決しようとする課題】
【０００３】
釣りを行う際、竿を置くときなどに、糸が絡まないように、針や錘やルアーなどを引っ掛けておくのですが、従来の方法では竿のガイドに掛けたり、竿の胴の部分にルアー＆フックキーパーを取り付けて掛けていました。 竿に付けている従来のルアー＆フックキーパーには、時として釣りを行っている際、糸がそのものに引っ掛かるなどのトラブルを引き起こす。 装着位置をスピニングリールの足にし、そうすることにより手元に引っ掛ける場所が来るので、より手返し良く、スムーズに釣りを行うことができる。
【課題を解決するための手段】
【０００４】
スピニングリールにおいて、糸を巻き取る際にスプールの周りをローターが旋回します、スピニングリールが糸を巻き取っても干渉しないスピニングリールの足の部分(図１）に取り付け、従来の竿に装着せずに、竿の握りの近くで針または錘またはルアーを引っ掛けて保持する。
【考案の効果】
【０００５】
本発明の目的は、特にルアー釣り、複数本の竿を使う際の持ち替えを、スムーズに行い手返し良く、さらに糸が引っ掛かるトラブルの可能性を、スピニングリールの足に取り付けることにより竿の握り手の近くに位置（図１）することで解消しております。
【図面の簡単な説明】
【０００６】
【図１】ルアー＆フックキーパーの取り付け位置を示したものです。
【図２】スピニングリール用ルアー＆フックキーパーの設計図面です。
【図３】装着例です。
【考案を実施するための形態】
【０００７】
図2は本発明の設計図面です。図面にてR０．８と表示されている２つの凹みに伸縮性のあるOリングを掛けて、スピニングリールの足の部分図2の矢印部分を一周し、Hと表示のある凹みに引っ掛けて固定する。
【実施例】
【０００８】
本発明の効果は明らかで、釣りを行う際の釣り糸が通過する部分には干渉しなくなり、竿の握り手の近くに位置することにより手返しの向上利便性も向上します。 スピニングリールの足の部分に位置することにより（図3参照）、フックキーパーに掛けた状態でロータ−が回転しても釣り糸が干渉せず、釣り糸を巻き取ることができる位置にルアー＆フックキーパーが固定されております。
【産業上の利用可能性】
【０００９】
釣り人が快適な釣り環境で出来ることにより、釣り文化の発展を期待します。
【符号の説明】
【００１０】
図2において
H…輪ゴムを引っ掛ける場所です。
R０．８…輪ゴムなどを引っ掛ける場所です。
【図１】
0003229277.tif 000003
【図２】
0003229277.tif 000004
【図３】
0003229277.tif 000005
(57)【要約】      （修正有）【課題】階段や急な坂道を進行し、常に座席が進行方向に対して水平を保つ車を提供する。【解決手段】階段や急な坂道を進行するため前輪駆動モーター６で前輪駆動タイミングベルトプーリー８を介して前輪駆動用タイミングベルト１２を駆動し、後輪駆動モーター７で後輪駆動タイミングベルトプーリー９を介して後輪駆動用タイミングベルト１８を駆動する車であって、分銅１でリミットスイッチ２を作動させ座席水平保持モーター５を正逆転させて座席３の水平を保ち、座席水平保持モーターの動力を伝えるチェーン４及び座席水平保持駆動チェーンホイール１３を駆動し、座席が進行方向に対して傾斜しないようにする。【選択図】図１
0003229298.tif 000002
【実用新案登録請求の範囲】
【請求項１】
階段や急な坂道を進行し、尚かつ座席が進行方向に対して傾斜しないよう、常に水平を維持することが出来る車。
【考案の詳細な説明】
【技術分野】
【０００１】  本考案は階段や急な坂道を進行し座席が常に進行方向に対して水平を保つ車に関する。
【背景技術】
【０００２】  従来の車では階段や急な坂道を進行する際、階段の角や急な坂道に対しての摩擦力が少くなく進行する能力が充分発揮できない。【０００３】  本考案はこの問題を解決しようとするものであり、従来の車の車輪は階段や急な坂道に対して点接地であった。それを車輪の形状を変える事により車輪の接地面を多くし車の進行する能力を大きくする事ができる。【０００４】  車の進行する傾斜に対して座席を水平に保つ用にする。
【考案の概要】
【考案が解決しようとする課題】
【０００５】  本考案は以上のような従来の欠点に鑑み、階段や急な坂道を進行しかつ座席が進行方向に水平を保つ車を提供する事を目的とする。
【課題を解決するための手段】
【０００６】  上記目的を達成するために本考案は階段や急な坂道を進行したり座席が進行方向に水平を保つ車を提供する事を目的とする。
【考案の効果】
【０００７】  上述したように本考案は階段や急な坂道を進行し、座席が常に進行方向に対して水平を保つ能力を持つ車を提供できる。
【図面の簡単な説明】
【０００８】
【図１】本考案の実施形態を示す車の側面図
【図２】車が階段や坂道を進行している所を示す側面図
【図３】車の平面図
【図４】ａ〜ａ断面図
【図５】Ａ部タイミングベルト詳細図
【図６】Ｂ部車輪駆動タイミングベルトプーリー詳細図
【図７】Ｃ部タイミングベルトプーリー詳細図
【図８】Ｄ部座席水平保持モーター詳細図
【考案を実施するための形態】
【０００９】  以下、本考案の実施の形態を図１〜図８に基づいて説明する。
図１においては、６の前輪駆動モーターを８の前輪駆動タイミングベルトプーリーと１０のタイミングベルトプーリーを介して１２の前輪駆動用タイミングベルトを駆動する。７の後輪駆動モーターを９の後輪駆動タイミングベルトプーリーと１０のタイミングベルトプーリーを介して１８の後輪駆動用タイミングベルトを駆動する。１４はタイミングベルト保持シャフト。１５はタイミングベルト取付スペーサー。１４のタイミングベルトプーリー保持シャフトとタイミングベルトプーリーを支える１６はベアリング。１７はタイミングプーリー保持ボルト。１１は車本体を構成するフレーム。車の前、後進及び正逆転停止及び方向転換は６の前輪駆動モーターと７の後輪駆動モーターの正逆転、停止をコントロールして行う。３の車の座席の水平保持は、１の座席水平を保つための分銅にて、この座席の水平を保つためのリミットスイッチを作動させ、５の座席水平保持モーターを正逆転させ座席の水平を保つ。４は座席の水平を保つための動力を伝えるチェーン。１３は座席水平保持駆動チェーンホイール。
尚、本考案の先行技術は見当たらなかった。
【符号の説明】
【００１０】    １    座席の水平を保つための分銅
２    座席の水平を保つためのリミットスイッチ
３    車の座席
４    座席の水平を保つための動力を伝えるチェーン
５    座席水平保持モーター
６    前輪駆動モーター
７    後輪駆動モーター
８    前輪駆動タイミングベルトプーリー
９    後輪駆動タイミングベルトプーリー
１０  タイミングベルトプーリー
１１  車本体を構成するフレーム
１２  前輪駆動用タイミングベルト
１３  座席水平保持駆動チェーンホイール
１４  タイミングベルトプーリー保持シャフト
１５  タイミングベルトプーリー取付スペーサー
１６  ベアリング
１７  タイミングベルトプーリー保持ボルト
１８  後輪駆動用タイミングベルト
【図１】
0003229298.tif 000003
【図２】
0003229298.tif 000004
【図３】
0003229298.tif 000005
【図４】
0003229298.tif 000006
【図５】
0003229298.tif 000007
【図６】
0003229298.tif 000008
【図７】
0003229298.tif 000009
【図８】
0003229298.tif 000010
【手続補正書】
【提出日】令和2年3月17日(2020.3.17)
【手続補正１】
【補正対象書類名】実用新案登録請求の範囲
【補正対象項目名】全文
【補正方法】変更
【補正の内容】
【実用新案登録請求の範囲】
【請求項１】
階段や急な坂道を進行するため前輪駆動モーターを前輪駆動タイミングベルトとタイミングベルトプーリーを介して前輪駆動用タイミングベルトを駆動する。
後輪駆動モーターを後輪駆動タイミングベルトプーリーを介して後輪駆動用タイミングベルトを駆動することにより進行する事が出来る車。
車の座席の水平保持は座席の水平を保つための分銅にて、この座席の水平を保つためのリミットスイッチを作動させ座席水平保持モーターを正逆転させ座席の水平を保つ。
座席水平保持モーターの動力を伝えるチェーン及び座席水平保持駆動チェーンホイールを駆動する。
座席が進行方向に対して傾斜しないように水平を保持することが出来る車。
【手続補正書】
【提出日】令和2年7月8日(2020.7.8)
【手続補正１】
【補正対象書類名】実用新案登録請求の範囲
【補正対象項目名】全文
【補正方法】変更
【補正の内容】
【実用新案登録請求の範囲】
【請求項１】
階段や急な坂道を進行するため前輪駆動モーターを前輪駆動タイミングベルトとタイミングベルトプーリーを介して前輪駆動用タイミングベルトを駆動し、
後輪駆動モーターを後輪駆動タイミングベルトプーリーを介して後輪駆動用タイミングベルトを駆動することにより進行する事が出来る車であって、
車の座席の水平保持は座席の水平を保つための分銅にて、この座席の水平を保つためのリミットスイッチを作動させ座席水平保持モーターを正逆転させ座席の水平を保ち、
座席水平保持モーターの動力を伝えるチェーン及び座席水平保持駆動チェーンホイールを駆動し、
座席が進行方向に対して傾斜しないように水平を保持することが出来る車。
(57)【要約】      （修正有）【課題】マスク使用以外の方法で、飛沫を広範囲に広がる以前の段階で受け止めることができるマイクに装着する衛生具を提供する。【解決手段】厚紙製直径１８０ｍｍの真円形状であり、マイクの挿入部として、中央部に３０ｍｍの穴と５ｍｍの切れ込み８か所を有する、マイクに装着することで飛沫防止を目的とする衛生具である。【選択図】図１
0003229265.tif 000002
【実用新案登録請求の範囲】
【請求項１】
カラオケシステムのマイク使用時の飛沫拡散防止を目的に、マイクヘッドのネック部に装着する、紙製またはポリプロピレン製の使い捨て衛生保護具
【考案の詳細な説明】
【技術分野】
【０００１】本考案は、カラオケのマイク使用時の飛沫拡散防止と共に、マスク着用で歌う事の煩わしさを解消し、カラオケ本来の娯楽性確保を目的としたものである
【背景技術】）【０００２】飛沫拡散防止の為マスクを着用して歌うと、息苦しい、煩わしい等のカラオケ本来の娯楽性が半減してしまう。
【考案の概要】
【考案が解決しようとする課題】カラオケ利用者の飛沫拡散による、ＣＯＶＩＤ−１９の抑制
【課題を解決するための手段】発生源となる口元をマスク使用以外の方法で、飛沫を広範囲に広がる以前の段階で受け止める
【考案の効果】カラオケのマイク使用時の飛沫拡散防止と共に、マスク使用の煩わしさを解消し、カラオケ本来の娯楽性を確保し、且つ周囲への衛生面の確保
【図面の簡単な説明】
【０００３】
【図１】使い捨て衛生保護具の全体図
【図２】使い捨て保護具の使用例を表わす図
【考案を実施するための形態】
マイクの手持ち部分を、本考案品の中央部の穴より挿入しマイクヘッド部分まで引き上げ、装着完了
【実施例】添付の写真より
写真▲１▼本考案品とマイク
写真▲２▼から▲５▼  装着作業
写真▲６▼▲７▼  装着状態
写真▲８▼▲９▼  使用実施状況
【産業上の利用可能性】使い捨てで安価供給が可能であるため、カラオケボックス、スナック、ナイトクラブ、ライブハウス、音楽スタジオ、音楽教室等の事業再開に衛生周知活動との一部として活用可
新生活様式の一端として導入されるべき。
【図１】
0003229265.tif 000003
【図２】
0003229265.tif 000004
【手続補正書】
【提出日】令和2年8月13日(2020.8.13)
【手続補正１】
【補正対象書類名】実用新案登録請求の範囲
【補正対象項目名】全文
【補正方法】変更
【補正の内容】
【実用新案登録請求の範囲】
【請求項１】
本考案品は、厚紙製直径１８０ｍｍの真円形状であり、マイクの挿入部として、中央部に３０ｍｍの穴と５ｍｍの切れ込み８か所を有する、マイクに装着することで飛沫防止を目的とする衛生具である。
(57)【要約】      （修正有）【課題】様々な色のついた花弁を有するシンビジウムを提供する。【解決手段】開花した従来のシンビジウムの花弁に、様々な色の合成樹脂塗料を複数回塗布することで、自然界に存在しない色の花弁４を有するシンビジウム２とする。【選択図】図２
0003229263.tif 000002
【実用新案登録請求の範囲】
【請求項１】
シンビジウムの各花弁に染料を塗布し、自然界にない色の付いたシンビジウム
【請求項２】
白色の花弁のシンビジウムの各花弁に青色染料を塗布された自然界に存在しない色の花弁を有するシンビジウム
【考案の詳細な説明】
【技術分野】
【０００１】  本考案は、シンビジウムの花弁に染料を塗布して、様々な花弁を有するシンビジウムに関するものである
【背景技術】
【０００２】  シンビジウムには多数の品種はあるが、金や青など自然界に無い色が求められることもある。
【先行技術文献】
【特許文献】
【０００３】
【特許文献１】特表２０１２−５０４９５７
【特許文献２】実用新案登録第３２１９１５２号
【考案の概要】
【考案が解決しようとする課題】
【０００４】  シンビジウムには多数の品種はあるが、自然界に無い金や青などの様々な色の花弁を作る技術を応用してシンビジウムの前述の問題点を解決するものである。
【課題を解決するための手段】
【０００５】染料には合成樹脂塗料を使用し、花の開花期間も試験をして最適な塗料を選定した。
【考案の効果】
【０００６】  本発明によれば、生花としてのシンビジウムでは見ることができない多様な色を染色で作り出すことができ、多様なニーズに対応できる。
【図面の簡単な説明】
【０００７】
【図１】  シンビジウムを正面から見た写真
【図２】  青色の合成樹脂を塗布したシンビジウム
【考案を実施するための形態】
【０００８】図１に示すシンビジウム１の花弁３に任意の色の合成樹脂塗料を複数回塗布することで、図２の様に自然界に存在しない色の花弁４を有するシンビジウム２が完成する。
【実施例】
【０００９】以下、添付図面に従って実施例を説明する。図１に示すシンビジウム１の自然な色の花弁３に青色の塗料を塗布し図２の様に青色の花弁４の付いたシンビジム２を作る。
【符号の説明】
【００１０】１．一般のシンビジウム
２．青色の花弁のシンビジウム（自然界にない色の付いたシンビジウム）
３．着色前の花弁（自然界にある花弁）
４．青色の花弁（自然界にない花弁）
【図１】
0003229263.tif 000003
【図２】
0003229263.tif 000004